(57)【要約】【課題】電源部と光源部との接続作業性を向上できる照明器具を提供すること。【解決手段】照明器具は、電源部２を有する器具本体１と、この器具本体１側に設けられ、背面側に向かって凹状に形成された取付部４１、５１に配置された一対の被接続部４，５と、光源を有する光源部３と、この光源部３側に設けられ、前記一対の被接続部４，５に対向して背面側に向かって凸状に形成された取付部６１，７１に配置された一対の接続部６，７とを具備している。前記器具本体１側の被接続部４，５に前記光源部３側の接続部６，７が接続されることにより、前記器具本体１に前記光源部３が機械的及び電気的に接続される。【選択図】図２
2018006037.tif 000002
【特許請求の範囲】
【請求項１】
電源部を有する器具本体と；
この器具本体側に設けられ、背面側に向かって凹状に形成された取付部に配置された一対の被接続部と；
光源を有する光源部と；
この光源部側に設けられ、前記一対の被接続部に対向して背面側に向かって凸状に形成された取付部に配置された一対の接続部と；
を具備し、
前記器具本体側の被接続部に前記光源部側の接続部が接続されることにより、前記器具本体に前記光源部が機械的及び電気的に接続されることを特徴とする照明器具。
【請求項２】
前記一対の被接続部のうち、少なくとも一方は給電部であり、この給電部に接続される前記接続部は受電部であることを特徴とする請求項１に記載の照明器具。
【請求項３】
複数台の前記照明器具が列をなして配置される場合に、隣接する照明器具の位置ずれを防止するため、前記器具本体の一端側には、突起部が設けられ、他端側には、凹所部が設けられていることを特徴とする請求項１又は請求項２に記載の照明器具。
【発明の詳細な説明】
【技術分野】
【０００１】
本発明の実施形態は、照明器具本体に光源部を接続するための接続構造を備えた照明器具に関する。
【背景技術】
【０００２】
近時、低消費電力、高効率化、長寿命化及び薄型化が可能な光源としてＬＥＤ（発光ダイオード）や有機ＥＬ（エレクトロルミネッセンス）素子層を用いた面状光源が開発されている。このような光源は、屋内用や屋外用として各種照明器具に用いられることが考えられている。
【０００３】
従来、例えば、バスや鉄道車両等の車両における車内灯に用いられる照明器具は、車両の天井面（被設置部）に設置される器具本体を備えており、この器具本体の前面側に光源部が設けられている。この場合、器具本体に設けられた電源部と光源部とは、コネクタ等によって電気的に接続されて配線されるようになっている。
【先行技術文献】
【特許文献】
【０００４】
【特許文献１】特開２０１３−９９９９８号公報
【特許文献２】特開２０１３−２２６８９７号公報
【発明の概要】
【発明が解決しようとする課題】
【０００５】
しかしながら、上記のような照明器具では、電源部と光源部との電気的な接続に際し、接続作業性が効率的ではないという課題が生じる。
【０００６】
本発明は、上記課題に鑑みなされたもので、電源部と光源部との接続作業性を向上できる照明器具を提供することを目的とする。
【課題を解決するための手段】
【０００７】
本発明の実施形態による照明器具は、電源部を有する器具本体と、この器具本体側に設けられ、背面側に向かって凹状に形成された取付部に配置された一対の被接続部と、光源を有する光源部と、この光源部側に設けられ、前記一対の被接続部に対向して背面側に向かって凸状に形成された取付部に配置された一対の接続部とを具備している。前記器具本体側の被接続部に前記光源部側の接続部が接続されることにより、前記器具本体に前記光源部が機械的及び電気的に接続される。
【発明の効果】
【０００８】
本発明の実施形態によれば、電源部と光源部との接続作業性を向上できる照明器具を提供することができる。
【図面の簡単な説明】
【０００９】
【図１】本発明の実施形態に係る照明器具を示す斜視図である。
【図２】同照明器具における器具本体と光源部とを切離して示す斜視図である。
【図３】同照明器具における器具本体と光源部とを切離して下方から見て示す斜視図である。
【図４】同照明器具を示す正面図である。
【図５】図２中、Ａ部及びＢ部を示す拡大斜視図である。
【図６】図４中、Ｙ−Ｙ線に沿って切断して示す側面図である。
【図７】図２中、Ｃ部及びＤ部を示す拡大斜視図である。
【図８】照明器具を列をなして配置する場合において、隣接する照明器具の端面を示す斜視図である。
【図９】照明器具を列をなして配置した状態を示す平面図である。
【発明を実施するための形態】
【００１０】
以下、本発明の実施形態について図１乃至図７を参照して説明する。本実施形態では、バスや電車等の車両における車内灯として用いられる照明器具を示している。なお、各図において同一部分には同一符号を付し、重複した説明は省略する。
【００１１】
照明器具は、車両の天井面等の被設置部に取付けられる長尺状の器具本体１と、この器具本体１に配設された電源部２と、器具本体１に接続される光源部３とを備えている。
【００１２】
このような照明器具は、前面側を光の照射面とし、背面側を被設置部への取付面としており、器具本体１側と光源部３側とが着脱可能となっている。
【００１３】
器具本体１は、例えば、溶融亜鉛めっき鋼鈑等の金属材料を折曲して長尺状の略枠状に形成されたベース部材１１を備えている。
【００１４】
このベース部材１１の背面側には、電源部２、一対の器具取付部１２及び一対の被接続部４、５が設けられている。
【００１５】
電源部２は、点灯装置であり、ベース部材１１の略中央部に取付けられている。電源部２は、箱状のケース内に回路部品を収容して構成されており、外部電源に接続されて、この外部電源を受けて直流出力を生成するものである。電源部２は、例えば、全波整流回路の出力端子間に平滑コンデンサを接続し、この平滑コンデンサに直流電圧変換回路及び電流検出手段を接続して構成されている。
【００１６】
電源部２は、後述するように光源部３に接続されるようになっていて、その直流出力を光源部３に供給し、光源部３を点灯制御するようになっている。
【００１７】
器具取付部１２は、略コ字状に形成されており、電源部２の両側に位置して一対がベース部材１１に取り付けられている。また、この器具取付部１２の上面には、略惰円形状の長穴１２ａが形成されている。この長穴１２ａには、図示を省略する取付ボルトが貫通し、器具本体１を車両の天井面等の被設置部に取付け固定できるようになっている。
【００１８】
一対の被接続部４、５は、器具本体１の長手方向の両端部に設けられている。被接続部４は、給電部であって、外形が略直方体形状の給電部品であり、前記電源部２に配線によって電気的に接続されていて、電源部２から電力が給電されるようになっている。この被接続部４は、弾性を有する導電端子を備え、取付部４１に取り付けられて配置されている。取付部４１は、具体的には、枠状のベース部材１１の内側から切り起こされた一対の起立片４１ａと、この起立片４１ａに固定された略コ字状の取付片４１ｂとから構成されている。また、被接続部４は、取付片４１ｂの上面に形成された取付孔４１ｃに嵌合されて取り付けられている。
【００１９】
したがって、詳細を後述するように取付部４１は、起立片４１ａと取付片４１ｂとによって凹状の空間Ｓを形成していて、背面側に向かって凹状に形成されたガイド部としての機能を有している（図６参照）。
【００２０】
一方、被接続部５は、電源部２には接続されていない部材である。外形が略直方体形状であり、内部には弾性部材等の係止部材が設けられている。この被接続部５は、前記被接続部４と同様に、取付部５１に取り付けられて配置されている。また、取付部５１は、一対の起立片５１ａ及び取付片５１ｂから構成されており、被接続部５は、取付孔５１ｃに嵌合されて取り付けられている。さらに、取付部５１は、凹状の空間Ｓを形成していて、背面側に向かって凹状に形成されたガイド部としての機能を有している。
【００２１】
図７に示すように、器具本体１の長手方向の両端側には、それぞれ突起部１３及び凹所部１４が形成されている。具体的には、突起部１３は、ベース部材１１の端面から長手方向に突出するように切り起こされた一対の切起こし片であり、凹所部１４は、ベース部材１１の端面に形成された略長方形状の孔である。
【００２２】
また、一方の端面に形成された突起部１３ａに対向する他方の端面には凹所部１４ｂが形成され、一方の端面に形成された凹所部１４ａに対向する他方の端面には突起部１３ｂが形成されている。つまり、両端面に形成された突起部１３及び凹所部１４は、１８０度回転対称の位置に配置されている。
【００２３】
次に、光源部３はパネル状に形成されており、有機ＥＬ素子層を用いた面状光源３１、枠部材３２、カバー部材３３及び一対の接続部６、７を備えている。
【００２４】
面状光源３１は、有機ＥＬパネルであり、概略的には矩形状をなす透光性の基板と、この基板上に形成された有機ＥＬ素子層と、この有機ＥＬ素子層を気密的に封止する封止部材とを備えている。透光性の基板は、不燃性であるガラス板から形成されていて、光が透過する材料が用いられている。
【００２５】
このような有機ＥＬパネルが複数枚、具体的には３枚の有機ＥＬパネルが長手方向に並べられて面状光源３１が形成されている。なお、面状光源３１は、１枚の有機ＥＬパネルによって構成するようにしてもよい。
【００２６】
面状光源３１の周囲四辺には、枠部材３２が配設されている。この枠部材３２によって面状光源３１は補強されるようになっている。さらに、面状光源３１の背面側には、面状光源３１を全体的に覆うカバー部材３３が設けられている。
【００２７】
また、一対の接続部６、７は、前記一対の被接続部４、５と対向する位置であって、光源部３の長手方向の両端部に設けられている。
【００２８】
接続部６は、前記被接続部４と接続されて電力を受ける受電部であって、受電部品であり、弾性を有する導電端子を備えており、面状光源３１と電気的に接続されている。
【００２９】
この接続部６は、取付部６１に取り付けられて配置されている。取付部６１は、箱状をなしていて、カバー部材３３に、背面側へ向かって突出するように凸状に形成されて取り付けられている。また、接続部６は、取付部６１の上面に形成された取付孔６１ｃに嵌合されて取り付けられている。
【００３０】
一方、接続部７は、前記被接続部５に接続される部材であり、被接続部５の係止部材と係合される軸状の係合部材７ａが設けられている。この接続部７は、略Ｌ字状の取付部７１に取り付けられて配置されている。また、取付部７１は、略Ｌ字状に折曲されて形成されており、カバー部材３３に、背面側へ向かって突出するように凸状に形成されて取り付けられている。
【００３１】
次に、図１乃至図６を参照して照明器具の設置状態の概要について説明する。照明器具を被設置部に設置する場合には、器具本体１における器具取付部１２の上面側を被設置部に当接するように配置し、取付ボルトを器具取付部１２の長穴１２ａを通過させて、長穴１２ａを介して器具本体１を被設置部に取り付ける。
【００３２】
器具本体１が被設置部に取付けられた状態で、光源部３を器具本体１に接続する。光源部３側の接続部７を器具本体１側の被接続部５に接続し、光源部３側の接続部６を器具本体１側の被接続部４に接続する。これにより器具本体１側と光源部３側とは、機械的及び電気的に接続される。
【００３３】
具体的には、光源部３を下から押し上げるようにして、器具本体１に接続する。この場合、まず、光源部３側の接続部７における軸状の係合部材７ａを器具本体１側の被接続部５における係止部材に係合するように嵌入する。次いで、この係合部位を支点として、光源部３を図４上、反時計方向に回動するようにして、光源部３側の接続部６を器具本体１側の被接続部４に嵌入する。この接続構造により、光源部３は器具本体１にスナップフィット式で接続されるようになる。
【００３４】
したがって、光源部３は器具本体１に機械的に接続保持されるとともに、被接続部４と接続部６との接続により電気的に接続される。
【００３５】
また、図６に代表して示すように、被接続部４、５の取付部４１、５１は、背面側に向かって凹状に形成されており、一方、接続部６、７の取付部６１、７１は、背面側へ向かって凸状に形成されている。したがって、光源部３を器具本体１に接続するに際し、取付部４１、５１が取付部６１、７１のガイドになり、つまり、各被接続部４、５と各接続部６、７との位置合わせの目安となり、接続作業を容易とすることができ、ひいては施工作業の向上を図ることができる。また、凸状の取付部６１、７１は、凹状の取付部４１、５１に配置されるので、照明器具を薄型化することが可能となる。
【００３６】
なお、被接続部４、５と接続部６、７との接続により、光源部３は器具本体１に機械的に接続保持されるが、この接続保持をより強固にするため、適宜ロック機構等の別の保持手段を設けるようにしてもよい。
【００３７】
次に、複数台の照明器具を被設置部に列をなして一列に配置して設置する場合について、図７乃至図９を参照して説明する。複数台の照明器具を例えば、車両の長手方向に一列に整列して配置する場合、隣接する照明器具間において、幅方向に位置ずれが生じる場合がある。
【００３８】
本実施形態においては、既述のように器具本体１の長手方向の両端には、それぞれ突起部１３及び凹所部１４が１８０度回転対称の位置に形成されている。したがって、隣接する器具本体１の相互の端面同士に形成された突起部１３を凹所部１４に挿入し嵌合するように器具本体１を配置することができる。具体的には、一方の器具本体１の端面に形成された突起部１３を他方の器具本体１の端面に形成された凹所部１４に挿入し嵌合し、他方の器具本体１の端面に形成された突起部１３を一方の器具本体１の端面に形成された凹所部１４に挿入し嵌合する。
【００３９】
これにより、施工性が良好で、隣接する器具本体１の位置ずれを防止し、列をなして一列に整列して配置することができる。
【００４０】
なお、一方の端面にひとつの突起部、これに対向するように他方の端面にひとつの凹所部を形成する構成であってもよい。この場合にも隣接する器具本体１の位置ずれを防止することが可能である。
【００４１】
照明器具の設置状態において、電源部３に電力が供給されると、給電部である被接続部４及び受電部である接続部６を経由して、光源部３における有機ＥＬパネルの面状光源３１に通電され面状光源３１は発光する。面状光源３１から出射された光は、車内に放射され所定の配光範囲に照射される。
【００４２】
また、光源部３の交換等のメンテナンスが必要となった場合には、光源部３を器具本体１から取り外しメンテナンスを行うことができる。この取り外しは、器具本体１側の被接続部４、５から光源部３側の接続部６、７を離脱するように操作すればよい。
【００４３】
なお、本発明は、上記実施形態の構成に限定されることなく、発明の要旨を逸脱しない範囲で種々の変形が可能である。また、上記実施形態は、一例として提示したものであり、発明の範囲を限定することは意図していない。これら新規な実施形態は、その他の様々な形態で実施されることが可能であり、種々の省略、置き換え、変更を行うことができる。これら実施形態やその変形は、発明の範囲や要旨に含まれるとともに、特許請求の範囲に記載された発明とその均等の範囲に含まれる。
【００４４】
例えば、光源は、有機ＥＬパネルに限らず、ＬＥＤであってもよく、その種類が格別限定されるものではない。また、照明器具としては、車両における車内灯に好適に用いられるが、屋内又は屋外で使用される各種照明器具に適用が可能である。
【符号の説明】
【００４５】
１・・・器具本体
２・・・電源部
３・・・光源部
４、５・・・被接続部（器具本体側）
６、７・・・接続部（光源部側）
１１・・・ベース部材
１２・・・器具取付部
１３・・・突起部
１４・・・凹所部
３１・・・面状光源
４１・・・（被接続部４の）取付部
５１・・・（被接続部５の）取付部
６１・・・（接続部６の）取付部
７１・・・（接続部７の）取付部
【図１】
2018006037.tif 000003
【図２】
2018006037.tif 000004
【図３】
2018006037.tif 000005
【図４】
2018006037.tif 000006
【図５】
2018006037.tif 000007
【図６】
2018006037.tif 000008
【図７】
2018006037.tif 000009
【図８】
2018006037.tif 000010
【図９】
2018006037.tif 000011